(57)【特許請求の範囲】
【請求項１】
リーダライタとの無線によるデータ通信を行うための非接触インターフェース部と、
機器との有線によるデータ通信を行うための有線インターフェース部と、
前記機器の側から電力供給を受けるための電力導入部と、
前記リーダライタからの無線をエネルギー源として電力を発生する電力発生部と、
前記電力導入部に加えて前記電力発生部からも電力供給がされ得るように前記電力導入部および前記電力発生部に接続された、データを不揮発に書き込み、読み出し可能なメモリ部と、
前記電力導入部に加えて前記電力発生部からも電力供給がされ得るように前記電力導入部および前記電力発生部に接続され、かつ前記非接触インターフェース部および前記有線インターフェース部に接続された、前記非接触インターフェースを介して得た前記メモリ部に書き込むべきデータの書き込み制御を前記メモリ部に対して行い、かつ、前記有線インターフェースを介して得た前記メモリ部に書き込むべきデータの書き込み制御を前記メモリ部に対して行い、かつ、前記リーダライタに送出すべきデータの読み出し制御を前記メモリ部に対して行って該データを前記非接触インターフェース部に供給し、かつ、前記機器に送出すべきデータの読み出し制御を前記メモリ部に対して行って該データを前記有線インターフェース部に供給するメモリ制御部と、
前記電力発生部が発生した電力に基づき、前記リーダライタから電波被照射中であることを示す信号を電磁界検出信号として生成しかつ該電磁界検出信号を前記機器が前記有線インターフェース部を介してデータ通信を行っているか否かにかかわらず前記機器に伝える検出信号出力部と、
前記電力発生部が発生した電力を前記機器に送り出すための発生電力出力部と
を具備することを特徴とするプラグ装置。
【請求項２】
前記有線インターフェース部が、前記機器との電気的な接続を行うための着脱可能なコネクタ部を含むことを特徴とする請求項１記載のプラグ装置。
【請求項３】
リーダライタとの無線によるデータ通信を行うための非接触インターフェース部と；機器との有線によるデータ通信を行うための有線インターフェース部と；前記機器の側から電力供給を受けるための電力導入部と；前記リーダライタからの無線をエネルギー源として電力を発生する電力発生部と；前記電力導入部に加えて前記電力発生部からも電力供給がされ得るように前記電力導入部および前記電力発生部に接続された、データを不揮発に書き込み、読み出し可能なメモリ部と；前記電力導入部に加えて前記電力発生部からも電力供給がされ得るように前記電力導入部および前記電力発生部に接続され、かつ前記非接触インターフェース部および前記有線インターフェース部に接続された、前記非接触インターフェースを介して得た前記メモリ部に書き込むべきデータの書き込み制御を前記メモリ部に対して行い、かつ、前記有線インターフェースを介して得た前記メモリ部に書き込むべきデータの書き込み制御を前記メモリ部に対して行い、かつ、前記リーダライタに送出すべきデータの読み出し制御を前記メモリ部に対して行って該データを前記非接触インターフェース部に供給し、かつ、前記機器に送出すべきデータの読み出し制御を前記メモリ部に対して行って該データを前記有線インターフェース部に供給するメモリ制御部と；前記電力発生部が発生した電力に基づき、前記リーダライタから電波被照射中であることを示す信号を電磁界検出信号として生成しかつ該電磁界検出信号を前記機器が前記有線インターフェース部を介してデータ通信を行っているか否かにかかわらず前記機器に伝える検出信号出力部と；前記電力発生部が発生した電力を前記機器に送り出すための発生電力出力部と；を有するプラグ装置と、
前記プラグ装置を組み込むべき前記機器と
を具備することを特徴とするプラグ装置組み込み機器。
【発明の詳細な説明】
【技術分野】
【０００１】
本発明は、各種の機器に組み込むことが可能なプラグ装置およびこれを組み込んだ機器に係り、特に、リーダライタからの照射電波で非接触通信を行うプラグ装置およびこれを組み込んだ機器に関する。
【背景技術】
【０００２】
近年、非接触データ通信の形態に広がりが出ている。もともとはＩＣタグ（無線タグ、ＲＦＩＤタグ、非接触データキャリアなどともいう）とこれにデータを書き込みまたは読み出すリーダライタとの組み合わせで使用されている。この場合、ＩＣタグが自身から電波を発するのは、もっぱらリーダライタ側からの電波照射を電力的に利用した場合に限られるので、その意味でＩＣタグはパッシブな存在である。ＩＣタグは、各種の機器や物品に付され使用される。リーダライタには、ＩＣタグまたはこれを付した機器や物品の種類に応じて専用のものが使われることが多いが、最近は、例えばスマートフォンのようなある種汎用の電子機器をリーダライタとする応用も考えられている。
【０００３】
また、逆に、特定の機器や物品の側をリーダライタとして機能させ、この機器や物品として必要な情報をＩＣタグ相当の機器との非接触通信を行って取り込む形態も使われている。特定の機器や物品の側をリーダライタとして機能させるために組み込むモジュールが開発されており、この場合のＩＣタグ相当の機器としては、例えばやはりスマートフォンのような電子機器が使用される。このときのスマートフォンはパッシブな存在である。
【０００４】
ＩＣタグは、一般にこれを付した機器や物品とは電気的に非接続であるが、ＩＣタグと同様な機能を有する部分をモジュール化しこれを電気的に組み込んだ構成も存在する（例えば特許文献１を参照）。一方、リーダライタは、一般に、これを備えた機器や物品の構成物と電気的に接続されている。
【先行技術文献】
【特許文献】
【０００５】
【特許文献１】特開２０１０−１３４６７２号公報
【特許文献２】特開２０００−２２７９５４号公報
【発明の概要】
【発明が解決しようとする課題】
【０００６】
本発明は、各種の機器に組み込むことが可能なプラグ装置およびこれを組み込んだ機器において、リーダライタからの照射電波で非接触通信ができ、また、機器との電気的な接続ができ、さらに、リーダライタ側との相互動作と機器側との相互動作とを調和的に行わせることが可能なプラグ装置およびこれを組み込んだ機器を提供することを目的とする。
【課題を解決するための手段】
【０００７】
上記の課題を解決するため、本発明の一態様であるプラグ装置は、リーダライタとの無線によるデータ通信を行うための非接触インターフェース部と、機器との有線によるデータ通信を行うための有線インターフェース部と、前記機器の側から電力供給を受けるための電力導入部と、前記リーダライタからの無線をエネルギー源として電力を発生する電力発生部と、前記電力導入部に加えて前記電力発生部からも電力供給がされ得るように前記電力導入部および前記電力発生部に接続された、データを不揮発に書き込み、読み出し可能なメモリ部と、前記電力導入部に加えて前記電力発生部からも電力供給がされ得るように前記電力導入部および前記電力発生部に接続され、かつ前記非接触インターフェース部および前記有線インターフェース部に接続された、前記非接触インターフェースを介して得た前記メモリ部に書き込むべきデータの書き込み制御を前記メモリ部に対して行い、かつ、前記有線インターフェースを介して得た前記メモリ部に書き込むべきデータの書き込み制御を前記メモリ部に対して行い、かつ、前記リーダライタに送出すべきデータの読み出し制御を前記メモリ部に対して行って該データを前記非接触インターフェース部に供給し、かつ、前記機器に送出すべきデータの読み出し制御を前記メモリ部に対して行って該データを前記有線インターフェース部に供給するメモリ制御部と、前記電力発生部が発生した電力に基づき、前記リーダライタから電波被照射中であることを示す信号を電磁界検出信号として生成しかつ該電磁界検出信号を前記機器が前記有線インターフェース部を介してデータ通信を行っているか否かにかかわらず前記機器に伝える検出信号出力部と、前記電力発生部が発生した電力を前記機器に送り出すための発生電力出力部とを具備することを特徴とする。
【０００８】
このプラグ装置は、リーダライタの動作状態と機器の動作状態との組み合わせに応じて適切に動作できるように構成されている。換言すると、リーダライタ側との相互動作と機器側との相互動作とを調和的に行わせるべく構成されている。これは以下による。すなわち、「機器の側から電力供給を受けるための電力導入部」および「リーダライタからの無線をエネルギー源として電力を発生する電力発生部」を具備することを前提として、メモリ部およびメモリ制御部が、電力導入部に加えて電力発生部からも電力供給がされ得るように電力導入部および電力発生部に接続されている。また、リーダライタから電波被照射中であることを示す信号を電磁界検出信号として生成する検出信号生成部と、電力発生部が発生した電力を機器に送り出すための発生電力出力部とをさらに具備している。
【発明の効果】
【０００９】
本発明によれば、各種の機器に組み込むことが可能なプラグ装置およびこれを組み込んだ機器において、リーダライタからの照射電波で非接触通信ができ、また、機器との電気的な接続ができ、さらに、リーダライタ側との相互動作と機器側との相互動作とを調和的に行わせることが可能なプラグ装置およびこれを組み込んだ機器を提供することができる。
【図面の簡単な説明】
【００１０】
【図１】本発明の一実施形態であるプラグ装置の構成を、その連携するリーダライタ（スマートフォン）および各種機器の位置づけとともに示す機能ブロック図。
【図２】図１に示したプラグ装置における、リーダライタの動作状態と機器の動作状態との組み合わせで考えられる動作モードを示す説明図。
【図３】図１に示したプラグ装置を配線基板を用いて実現した場合の構成例を示す模式的な上面図。
【発明を実施するための形態】
【００１１】
本発明の実施態様として、前記有線インターフェース部が、前記機器との電気的な接続を行うための着脱可能なコネクタ部を含む、とすることができる。コネクタ部を着脱可能に設けることで、プラグ装置の機器への組み込みをユーザが必要に応じて自由に行うことができる。プラグ装置を複数の機器に共通に利用することもできる。
【００１２】
以上を踏まえ、以下では本発明の実施形態を図面を参照しながら説明する。図１は、一実施形態であるプラグ装置の構成を、その連携するリーダライタ（スマートフォン）および各種機器の位置づけとともに示す機能ブロック図である。同図に示すように、このプラグ装置１は、コイルアンテナ１０、無線側接続部１１、電力発生部１２、メモリ制御部１３、メモリ部１４、端子部１５、有線側接続部１６、電力導入部１７、検出信号出力部１８、発生電力出力部１９を有する。
【００１３】
コイルアンテナ１０および無線側接続部１１が非接触インターフェース部を構成し、この非接触インターフェース部は、この装置１とリーダライタ５０との無線によるデータ通信を行うために利用される。また、端子部１５および有線側接続部１６が有線インターフェース部を構成し、この有線インターフェース部は、この装置１と各種機器（ホストＣＰＵ）６０との有線によるデータ通信を行うために利用される。
【００１４】
コイルアンテナ１０は、リーダライタ５０からの照射電波（電磁界、無線）を感知しそのエネルギーおよびそれに含まれた情報を無線側接続部１１に伝送する。また、この照射電波の応答として、無線側接続部１１を介して供給された、情報の重畳された電力により、リーダライタ５０に照射すべき電磁界を発生する。
【００１５】
無線側接続部１１は、コイルアンテナ１０から伝えられたエネルギーとそれに含まれた情報とを切り離し、エネルギーについては電力発生部１２に送り、情報については、メモリ制御部１３に供給する。また、電力発生部１２が発生した電力を受けてこれをコイルアンテナ１０に供給するとともに、この電力に、メモリ制御部１３から供給された、メモリ部１４の読み出しデータである情報を重畳させる。無線側接続部１１から、情報が重畳された電力がコイルアンテナ１０に伝送される。
【００１６】
電力発生部１２は、無線側接続部１１を介して送られた無線のエネルギーを源泉として、無線側接続部１１のほか、メモリ制御部１３、メモリ部１４に供給する電力を発生する。また、電力発生部１２は、その発生した電力（の一部）を発生電力出力部１９に送る。さらに、電力の発生がされた旨を検出信号出力部１８に伝える。
【００１７】
メモリ制御部１３は、電力導入部１７に加えて電力発生部１２からも電力供給がされ得るように電力導入部１７および電力発生部１２に接続されている。電力導入部１７は、有線側接続部１６を介した、各種機器６０の側からの電力の導入部である。
【００１８】
また、メモリ制御部１３は、非接触インターフェース部（無線側接続部１１）および有線インターフェース部（有線側接続部１６）に接続されている。これにより、無線側接続部１１を介して得たメモリ部１４に書き込むべきデータの書き込み制御をメモリ部１４に対して行い、かつ、有線側接続部１６を介して得たメモリ部１４に書き込むべきデータの書き込み制御をメモリ部１４に対して行う。加えて、リーダライタ５０に送出すべきデータの読み出し制御をメモリ部１４に対して行ってこのデータを無線側接続部１１に供給し、かつ、各種機器６０に送出すべきデータの読み出し制御をメモリ部１４に対して行ってこのデータを有線側接続部１６に供給する。
【００１９】
メモリ部１４は、電力導入部１７に加えて電力発生部１２からも電力供給がされ得るように電力導入部１７および電力発生部１２に接続された、データを不揮発に書き込み、読み出し可能なメモリである（例えばＥＥＰＲＯＭ）。データの書き込み、読み出しはメモリ制御部１３により制御される。
【００２０】
端子部１５は、この装置１と各種機器６０との電気的接続を行うための、端子を多数備えた物理的な部品である。一般には、このプラグ装置１を各種機器６０に恒久的に組み込むためのコネクタを用いることができる。あるいは、各種機器６０との間で着脱可能のコネクタを使用してもよい。コネクタを着脱可能に設けることで、プラグ装置１の各種機器６０への組み込みをユーザが必要に応じて自由に行うことができる。また、ひとつのプラグ装置１を各種機器６０に共通に利用することもできる。
【００２１】
有線側接続部１６は、端子部１５の各端子およびメモリ制御部１３に接続され、これにより、端子部１５とメモリ制御部１３との間のデータ（情報）の流れをバファリング（仲介）する。さらには、端子部１５を介して各種機器６０の側から供給される電力を電力導入部１７に送る。また、検出信号出力部１８が生成した信号（後述する電磁界検出信号）を端子部１５に伝える仲介を行い、加えて、発生電力部出力部１９が出力する電力を端子部１５に伝える仲介を行う。
【００２２】
電力導入部１７は、各種機器６０の側を源泉とする電力の導入部であり、導入された電力をメモリ制御部１３およびメモリ部１４に供給するため、有線側接続部１６と、メモリ制御部１３およびメモリ部１４との間に位置する。そのハードウエアとして、より具体的に例えば、降圧電源回路、リップル抑制デカップリングフィルタ回路、あるいは単なる導線などが考えられる。
【００２３】
検出信号出力部１８は、電力発生部１２が発生した電力に基づき、リーダライタ５０から電波被照射中であることを示す信号を電磁界検出信号として生成する。生成された電磁界検出信号は、有線側接続部１６に送られる。この電磁界検出信号は、この装置１が、リーダライタ５０と交信中であることを各種機器６０の側に伝えるための信号である（後述を参照）。検出信号出力部１８のハードウエアとしては、より具体的に、例えば、バッファ回路や、あるいは単なる導線とすることも考えられる。
【００２４】
発生電力出力部１９は、電力発生部１９が発生した電力を各種機器６０に送り出すための機能部分である。この電力は、各種機器６０の側が電源オフである場合であっても、リーダライタ５０との交信がなされたときに、各種機器６０のうちのごく一部を電源オンの状態に移行させることを意図して出力するものである（後述を参照）。ハードウエアとしては、例えば、バッファ回路や、あるいは単なる導線とすることも考えられる。発生電力出力部１９と前述の検出信号出力部１８とは、これらを兼用した単一の機能部分として構成し、これよりその出力についても単一の共通信号とする考えを採用することもできる。
【００２５】
以上、プラグ装置１の構成について説明した。プラグ装置１が組み込まれ得る各種機器６０には、例えば、次のようなものを想定することができる。例えば、ディジタルテレビ、オーブンや電子レンジのような調理器具、ナビゲーションシステム、携帯音楽プレーヤ、パソコン、ディジタルフォトフレームなどである。図１中に示したように、各種機器６０は、ＡＣ電源駆動の場合と電池駆動の場合、両者考えられる。
【００２６】
次に、図２は、図１に示したプラグ装置１における、リーダライタ５０の動作状態と各種機器６０の動作状態との組み合わせで考えられる動作モードを示す説明図である。図２に示すように、プラグ装置１の動作モードとしては、リーダライタ５０の状態で大きく２つに分けることができ、さらに、そのそれぞれにおいて、各種機器６０がオフのとき、オンのとき、オンでかつプラグ装置１とアクセス状態であるとき、の３つの状態が考えられる。これにより、合計６つの動作モードが示される。
【００２７】
モード番号１から３は、リーダライタ５０がプラグ装置１とアクセスしていない状態（つまりリーダライタ５０がプラグ装置１と非近接である状態）のときのモードである。この場合、各種機器６０が電源オフであれば、当然ながらプラグ装置１としても何らの動作もしない（モード番号１）。各種機器６０が電源オンであれば、各種機器６０の側からプラグ装置１に電源供給されていて、いつでも各種機器６０との交信（アクセス）が可能である（モード番号２）。そして、各種機器６０が電源オンで、かつ実際にプラグ装置１とアクセスを行い所定の交信している状態もあり得る（モード番号３）。
【００２８】
次に、モード番号４から６は、リーダライタ５０がプラグ装置１とアクセスしている状態（つまりリーダライタ５０をプラグ装置１に近接させた状態）のときのモードである。この場合であって、各種機器６０が電源オフであるときは、リーダライタ５０をエネルギー源とする電力により、プラグ装置１とリーダライタ５０との交信が可能である（モード番号４）。各種機器６０が電源オフ（電池切れの場合もあり得る）でもこれに組み込まれたプラグ装置１と交信できる点は、非接触通信の利点である。加えて、このプラグ装置１は、このとき、プラグ装置１を介して各種機器６０の側の一部を電源オンすることができる。この点は、前述した、発生電力出力部１９の機能による。
【００２９】
発生電力出力部１９の出力を受けた各種機器６０の側がこの電力をどのように利用するかは各種機器６０の側の設計による。発生電力出力部１９の発生する電力は、一般には大きくはなく、その点を踏まえてそれでも動作可能な範囲に限り電力が供給されるようにする。例えば、各種機器６０の、プラグ装置１との接続のための最終のバッファメモリ（およびそのアクセスのための制御回路）に電力供給されるように設計しておくことが考えられる。これによれば、リーダライタ５０とプラグ装置１との非接触通信の対象を、各種機器６０が電源オフであっても各種機器６０の一部にまで及ぶように広げることができる。
【００３０】
リーダライタ５０がプラグ装置１に近接したときに、各種機器６０の側が電源オンになっている場合もあり得る（モード番号５）。この場合は、リーダライタ５０のプラグ装置１への近接に伴い、非接触通信が通常のようになされる。非接触通信は、リーダライタ５０の、プラグ装置１への近接がその開始のトリガになるからである。この場合の非接触通信では、プラグ装置１は、各種機器６０の側から常時、電力供給を受けているので、リーダライタ５０をエネルギー源とする電力で駆動されるには及ばない。
【００３１】
このプラグ装置１では、この場合、さらに、リーダライタ５０から電波被照射中であることを示す信号（電磁界検出信号）をプラグ装置１から各種機器６０に送出する。これは、前述したように、検出信号出力部１８の機能による。この信号を受けた各種機器６０は、これにより、プラグ装置１が何らかの非接触通信を行っていることを了知することができる。この了知により、例えば、各種機器６０は、非接触通信との競合が起こらないように、プラグ装置１へのアクセスを控えるというような対処が可能である。このような対処は、電磁界検出信号を受けた各種機器６０の側の設計によるところである。
【００３２】
最後に、リーダライタ５０がプラグ装置１に近接したときに、各種機器６０の側が電源オンになっていてかつ実際にプラグ装置１と各種機器６０とが通信中（アクセス中）であることもあり得る（モード番号６）。この場合も、モード番号５の場合と同様に、リーダライタ５０のプラグ装置１への近接に伴い、非接触通信が開始される。非接触通信は、リーダライタ５０の、プラグ装置１への近接がその開始のトリガになるからである。この場合の非接触通信も、プラグ装置１は、各種機器６０の側から常時、電力供給を受けているので、リーダライタ５０をエネルギー源とする電力で駆動されるには及ばない。
【００３３】
このようにプラグ装置１と各種機器６０とが通信中にリーダライタ５０とプラグ装置１との非接触通信が開始された場合も、上述のように電磁界検出信号をプラグ装置１から各種機器６０に送出する。この信号を受けた各種機器６０は、これにより、プラグ装置１が何らかの非接触通信を行っていることを了知し、非接触通信との競合が起こらないように、この場合はプラグ装置１へのアクセスを中断することができる。このような対処は、電磁界検出信号を受けた各種機器６０の側の設計によるところである。
【００３４】
このように、プラグ装置１と各種機器６０との通信より、プラグ装置１とリーダライタ５０との非接触通信の方を優先する考えによれば、リーダライタ５０の、プラグ装置１への近接が常に非接触通信の開始トリガになり、使い勝手の良い非接触通信が実現する。ただし、どちらを優先するかの点は、各種機器６０の側の設計によるところであり、次のようにもできる。すなわち、電磁界検出信号を受けた各種機器６０が、プラグ装置１へのアクセスを中断する代わりに、中断せずに例えば警告音を発して非接触通信が拒否された旨をリーダライタ５０の使用者に報知するというような考えもあり得る。
【００３５】
以上説明したプラグ装置１は、単なる非接触データキャリアとは次の点で異なる。すなわち、メモリ部１４に書き込まれるデータが非接触データ通信を由来とするものに限らず、各種機器６０の側を由来とするデータもあり得る。つまり、非接触データ通信で扱われるデータが、各種機器６０と連動した動的データ（可変値）になり得る。よって、プラグ装置１が組み込まれた各種機器６０は、単に、各種機器６０に非接触データキャリアを備えさせたものとは異なるのみならず、各種機器６０の側から見ても、外から情報を簡便に取り入れることが可能な、便利な非接触通信媒体を備えたものになっている。
【００３６】
このような利点を踏まえたプラグ装置１の応用について、組み込むべき各種機器とともに以下いくつか例示する。
【００３７】
各種機器６０として、クラウドに接続されたディジタルテレビを考える。この場合、リーダライタ５０であるスマートフォンで特定のコンテンツの識別子（ＩＤ）および自動再生コマンドをあらかじめ獲得しておき、これをプラグ装置１に非接触通信で受け渡すことによれば、スマートフォンでのコンテンツ再生とディジタルテレビでのコンテンツ再生とを自動的に同期させることができる。スマートフォンでのコンテンツ再生は、例えば、テレビ視聴の死角となる室内位置でのモニタ画面として利用できる。
【００３８】
各種機器６０として、録画機能付きのディジタルテレビを考える。この場合、リーダライタ５０であるスマートフォン上に取り込んである特定の番組ＩＤおよびその自動再生コマンドをプラグ装置１に非接触通信で受け渡すことによれば、その番組の録画およびその後の番組再生（タイムシフト再生）までもテレビに対して自動的に行わせることができる。
【００３９】
各種機器６０として、オーブンなどの調理器具を考える。この場合、リーダライタ５０であるスマートフォン上に取り込んである料理レシピや、その必要なオーブン設定温度情報などの情報、および調理開始コマンドをプラグ装置１に非接触通信で受け渡す。これによれば、オーブンの設定および調理開始を自動的に行うことができる。
【００４０】
各種機器６０として、パソコンおよびナビゲーションシステムを考える。この場合、まず、特定の地図をそのＩＤとともにパソコン上で調べる。パソコンにプラグ装置１を組み込んでおくと、リーダライタ５０であるスマートフォンから非接触通信で引き抜きコマンドをパソコンに送り、パソコンからプラグ装置１を経由して地図ＩＤをリーダライタ５０に取り込むことができる。そして、次に、リーダライタ５０を、プラグ装置１が組み込まれたナビゲーションシステムにかざしてプラグ装置１と非接触通信を行えば、リーダライタ５０であるスマートフォンから作動コマンドをプラグ装置１に送ることができ、これにより、ナビゲーションシステムに地図表示させあるいはナビゲーション検索を行うことができる。
【００４１】
各種機器６０としてディジタルフォトフレームを考える。この場合、ディジタルフォトフレームが現在有している画像データに関連して、そのＩＤおよび各種の機能作動コマンドを非接触通信でプラグ装置１からリーダライタ５０であるスマートフォンに取り込むことで、スマートフォン上では画像表示と機能作動コマンドに応じた機能を実行することができる。機能作動コマンドによる機能には、例えば、音楽再生、自動ウェブアップロード、メール起動、画像添付などが考えられる。
【００４２】
また、各種機器６０を家電機器一般として考えたときには、各種機器６０とリーダライタ５０であるスマートフォンとの無線ＬＡＮ接続を容易化するような応用も考えられる。この場合、スマートフォンがアクセスポイントであり、各種機器６０が端末である。無線ＬＡＮ接続には、端末の側でアクセスポイントのＩＤ（ＳＳＩＤ）およびパスワードが必要なので、これをスマートフォンからプラグ装置１に無線ＬＡＮ起動コマンドとともに送り込むようにする。これにより、各種機器６０とアクセスポイントであるスマートフォンとの無線ＬＡＮ接続が円滑に行える。
【００４３】
以上説明したように、このプラグ装置１を各種機器６０に組み込んだ場合、リーダライタ５０側との相互動作と各種機器６０側との相互動作とを調和的に行わせることが可能であり、これにより、上記のような多様な応用に寄与することができる。プラグ装置１は、リーダライタ５０とは異なりパッシブな存在のものであり、強電界の電波を出さないので、電波規制の対象にならず応用できる機器に大きな広がりが期待できる。また、リーダライタ５０であるスマートフォンが各種機器６０と機能的に相互に連動できるようになり、スマートフォンを介して異なる各種機器６０間でも緊密な連携が可能になる。各種機器６０をクラウド上の情報やＳＮＳに連携させることも容易になる。
【００４４】
次に、図１に示したプラグ装置１を配線基板を用いて実現した場合の構成例について説明する。図３は、このような実現を図った配線基板の例を示す模式的な上面図である。図３において、図１中に示した構成要素と同一または対応するものには同一符号を付してある。
【００４５】
図３に示すように、このプラグ装置は、配線基板２１を用い、その上に必要な電気的要素を実装して構成されている。コイルアンテナ１０は、配線基板２１上に形成された配線パターンにより渦巻状に設けられている。配線基板２１は、配線層を両面に備えた両面基板のほか、３層以上の配線層を備えた多層配線板を用いてもよく、それらの場合にはコイルアンテナ１０は、これらの複数の配線層に渡ってひとつのループになるように形成され得る。符号１０ａは、整合用可変キャパシタであり、使用される周波数帯（例えば１３．５６ＭＨｚ）におけるコイルアンテナ１０の電力的整合のため、それと並列に接続され実装されている。
【００４６】
そしてこのプラグ装置は、無線側接続部１１、電力発生部１２、メモリ制御部１３、メモリ部１４、有線側接続部１６、電力導入部１７、検出信号出力部１８、発生電力出力部１９をワンチップにまとめて集積した不揮発性メモリ内蔵通信制御ＩＣ１００を用いている。これにより、非常にコンパクトなまとまりになる。メモリ部１４には、書き換え不能に識別ＩＤを備えさせることができ、これにより、リーダライタの側からプラグ装置としての識別が可能になる。メモリ部１４の書き換え可能な領域は、ユーザに開放される。その容量は、例えば、２ｋＢから８ｋＢである。有線インターフェースのプロトコルには、例えばＩ２Ｃを使用するとして、一方無線インターフェースの規格としては、例えばＩＳＯ１５６９３を使用するとして、ＩＣ１００を構成することができる。
【符号の説明】
【００４７】
１…プラグ装置、１０…コイルアンテナ、１０ａ…整合用可変キャパシタ、１１…無線側接続部、１２…電力発生部、１３…メモリ制御部、１４…メモリ部、１５…端子部、１６…有線側接続部、１７…電力導入部、１８…検出信号出力部、１９…発生電力出力部、２１…配線基板、５０…リーダライタ（スマートフォン）、６０…各種機器（ホストＣＰＵ）、１００…不揮発性メモリ内蔵通信制御ＩＣ。
【図１】
0005970804.tif 000002
【図２】
0005970804.tif 000003
【図３】
0005970804.tif 000004